(57)【要約】  より使い勝手がよい情報処理装置等を提供する。  情報処理装置であって、画像を表示する表示部と、ユーザ操作を入力する操作入力部と、制御部と、備え、前記制御部は、前記操作入力部にユーザの指がタッチされたことを検出すると、検出した位置にマークを表示し、前記マークが表示されている状態で、該マークの位置とは異なる位置にてユーザの指がタッチされたことを検出した場合に、該タッチ位置が前記マークの位置より離れる方向に変化した場合は、前記表示部の表示画像を拡大し、該タッチ位置が前記マークの位置に近づく方向に変化した場合は、前記表示部の表示画像を縮小する制御を行うことを特徴とする。
2014112029.tif 000002
【特許請求の範囲】
【請求項１】
情報処理装置であって、
画像を表示する表示部と、
ユーザ操作を入力する操作入力部と、
制御部と、備え、
前記制御部は、
前記操作入力部にユーザの指がタッチされたことを検出すると、検出した位置にマークを表示し、
前記マークが表示されている状態で、該マークの位置とは異なる位置にてユーザの指がタッチされたことを検出した場合に、
該タッチ位置が前記マークの位置より離れる方向に変化した場合は、前記表示部の表示画像を拡大し、該タッチ位置が前記マークの位置に近づく方向に変化した場合は、前記表示部の表示画像を縮小する制御を行う
ことを特徴とする情報処理装置。
【請求項２】
請求項１に記載の情報処理装置であって、
前記制御部は、
前記タッチ位置の変化量に応じて、前記表示部の表示画像の拡大率及び縮小率を変化させる制御を行う
こと特徴とする情報処理装置。
【請求項３】
請求項１または請求項２に記載の情報処理装置であって、
前記制御部は、
前記マークの位置またはその近傍をタッチされたことを検出すると、前記マークを消去する制御を行うことを特徴とする情報処理装置。
【請求項４】
請求項１乃至請求項３のいずれかに記載の情報処理装置であって、
前記制御部は、
前記マークの位置またはその近傍をタッチされたことを検出し、さらに該タッチ位置が変化したことを検出すると、前記マークを該タッチ位置の変化に合わせて移動させる制御を行うことを特徴とする情報処理装置。
【請求項５】
請求項４に記載の情報処理装置であって、
前記制御部は、
前記タッチ位置の変化に応じて、前記表示部の表示画像をスクロールする制御を行うことを特徴とする情報処理装置。
【請求項６】
請求項１乃至請求項５のいずれかに記載の情報処理装置であって、
前記マークを表示する際のタッチは、タップ操作であることを特徴とする情報処理装置。
【請求項７】
請求項１乃至請求項５のいずれかに記載の情報処理装置であって、
前記マークを表示する際のタッチは、略同一の位置を所定時間以上タッチする操作であることを特徴とする情報処理装置。
【請求項８】
請求項１乃至請求項５のいずれかに記載の情報処理装置であって、
前記マークを表示する際のタッチは、略同一の位置を所定時間以内に２回タッチする操作であることを特徴とする情報処理装置。
【請求項９】
情報処理装置における情報処理方法であって、
前記情報処理装置は、画像を表示する表示部と、ユーザ操作を入力する操作入力部と、を備え、
前記操作入力部にユーザの指がタッチされたことを検出すると、検出した位置にマークを表示するステップと、
前記マークが表示されている状態で、該マークの位置とは異なる位置にてユーザの指がタッチされたことを検出した場合に、
該タッチ位置が前記マークの位置より離れる方向に変化した場合は表示画像を拡大し、該タッチ位置が前記マークの位置に近づく方向に変化した場合は表示画像を縮小するステップと、を有する
ことを特徴とする情報処理方法。
【請求項１０】
情報処理装置に、
該情報処理装置の操作入力部にユーザの指がタッチされたことを検出すると、検出した位置にマークを表示するステップと、
前記マークが表示されている状態で、該マークの位置とは異なる位置にてユーザの指がタッチされたことを検出した場合に、
該タッチ位置が前記マークの位置より離れる方向に変化した場合は表示画像を拡大し、該タッチ位置が前記マークの位置に近づく方向に変化した場合は表示画像を縮小するステップと、
を実行させるためのプログラム。
【発明の詳細な説明】
【技術分野】
【０００１】
本発明は、情報処理装置、情報処理方法、及び、プログラムに関する。
【背景技術】
【０００２】
本技術分野の背景技術として、特開２０００−１６３０３１号公報（特許文献１）がある。この公報には、「地図画像を表示可能な表示部を含む電子ブックであり、表示部に接触させた指の動作履歴により、地図画像の拡大、縮小の少なくとも１つの操作の実行指示及び操作量を同時に入力可能である。２本の指を遠ざける動作により地図画像の拡大指示及び拡大量を入力できる。また、２本の指を近づける動作により地図画像の縮小指示及び縮小量を入力できる。」と記載されている（要約参照）。
【先行技術文献】
【特許文献】
【０００３】
【特許文献１】特開２０００−１６３０３１号公報
【発明の概要】
【発明が解決しようとする課題】
【０００４】
図６を用いて、特許文献１に記載のような従来の情報処理装置１００’における表示画像の拡大／縮小処理の操作方法について説明する。従来の情報処理装置１００’においては、図６に示すように、右手２００の指２０１、２０２（ここでは親指と人差し指）を同時にタッチパネル１１８’にタッチさせる。指２０１、２０２のタッチ位置をそれぞれＸ点、Ｙ点とする。２つの指２０１、２０２を離れる方向に移動させると（ピンチアウト）、距離ＸＹが大きくなり、その移動に応じて、表示画像の拡大率を連続的に増加させる。また、２つの指２０１、２０２を近接する方向に移動させると（ピンチイン）、距離ＸＹが小さくなり、その移動に応じて縮小率を連続的に減少させる。このように、タッチパネルにタッチした２つの指の距離の変化に応じて拡大／縮小処理を行っており、直観的でわかりやすく使い勝手がよいという利点がある。【０００５】
しかし、従来の情報処理装置１００’においては、操作に２つの指を用いることから、図６に示すように、左手２１０で情報処理装置１００’を保持して、右手でピンチアウト／ピンチインの操作を行う必要があり、両手を使用する場合が最も操作しやすい。【０００６】
近年、情報処理装置は、小型・軽量化、高性能化が図られており、屋内での使用のみならず、外出先や電車内など屋外での使用が増えてきている。このとき、例えば鞄等を持っている場合や電車内でつり革を持っている場合など、片手しか使用できないことがある。このような状況では、片手で装置を保持して、もう片方の手の２つの指を用いて、ピンチアウト／ピンチインの操作をすることは困難である可能性がある。
【課題を解決するための手段】
【０００７】
上記課題を解決するために、例えば特許請求の範囲に記載の構成を採用する。
本願は上記課題を解決する手段を複数含んでいるが、その一例を挙げるならば、情報処理装置であって、画像を表示する表示部と、ユーザ操作を入力する操作入力部と、制御部と、備え、前記制御部は、前記操作入力部にユーザの指がタッチされたことを検出すると、検出した位置にマークを表示し、前記マークが表示されている状態で、該マークの位置とは異なる位置にてユーザの指がタッチされたことを検出した場合に、該タッチ位置が前記マークの位置より離れる方向に変化した場合は、前記表示部の表示画像を拡大し、該タッチ位置が前記マークの位置に近づく方向に変化した場合は、前記表示部の表示画像を縮小する制御を行うことを特徴とする。
【発明の効果】
【０００８】
本発明によれば、より使い勝手がよい情報処理装置等を提供することができる。上記した以外の課題、構成及び効果は、以下の実施形態の説明により明らかにされる。
【図面の簡単な説明】
【０００９】
【図１】情報処理装置の内部構成例を示すブロック図である。
【図２】ピンチマーク設定の説明図である。
【図３】ピンチアウト／ピンチインの操作方法の説明図である。
【図４】ピンチマークの消去処理の説明図である。
【図５】ピンチマークの位置の変更処理の説明図である。
【図６】従来の装置のピンチアウト／ピンチインの操作方法の説明図である。
【発明を実施するための形態】
【００１０】
以下、実施例を図面を用いて説明する。
【実施例１】
【００１１】
図１は、本発明の一実施例による情報処理装置１００の内部構成例を示すブロック図である。【００１２】
ここでは、スマートフォンの場合を例にして説明する。情報処理装置１００は、基地局通信部１０１、ＣＰＵ１０２、メモリ１０３、ストレージ１０４、ＧＰＳ（Global Positioning System）受信部１０５、地磁気センサ１０６、加速度センサ１０７、ジャイロセンサ１０８、無線通信部１０９、マイク１１０、音声処理部１１１、スピーカ１１２、操作入力部１１３、表示部１１４、画像処理部１１５、映像入力部１１６、入出力Ｉ／Ｆ１１７、タッチパネル１１８を備え、それぞれはバス１５０に相互に接続されている。【００１３】
基地局通信部１０１は、Ｗ−ＣＤＭＡ（Wideband Code Division Multiple Access）やＧＳＭ（登録商標）（Global System for Mobile communications）などの基地局（図示せず）と遠距離の無線通信を行う通信インターフェイスである。【００１４】
ＣＰＵ１０２は、メモリ１０３に記憶したプログラムを実行することによって、各構成部を制御し、各種の処理を行っている。【００１５】
メモリ１０３は、例えばフラッシュメモリなどであり、プログラム、データなどを記憶している。メモリ１０３に記憶されるプログラムは、基地局通信部１０１が基地局と無線通信を行い、図示しない外部サーバーなどからダウンロードすることにより、随時更新・追加することが可能である。また、情報処理装置１００は例えばメモリーカードなどのストレージ１０４を備えており、ストレージ１０４にもデータなどを保存することができる。【００１６】
ＧＰＳ受信部１０５は、上空にあるＧＰＳ衛星からの信号を受信するものである。これにより、情報処理装置１００の現在位置を検出することができる。【００１７】
地磁気センサ１０６は情報処理装置１００の向いている方向を検出するセンサである。【００１８】
加速度センサ１０７は情報処理装置１００の加速度を検出するセンサであり、ジャイロセンサ１０８は、情報処理装置１００の角速度を検出するセンサである。これらにより、情報処理装置１００の傾き、動きを詳細に検出することができる。【００１９】
無線通信部１０９は、IEEE802.11a/b/nなどの無線ＬＡＮによる無線通信を行う通信インターフェイスである。【００２０】
マイク１１０は、外部の音声を入力するものであり、スピーカ１１２は、外部に対して音声を出力するものである。入出力される音声は、音声処理部１１１にて音声処理される。【００２１】
タッチパネル１１８は、操作入力部１１３、表示部１１４からなる。表示部１１４はＬＣＤなど映像や画像を表示するものであり、その表示面にはタッチパッドのような操作入力部１１３を有する。【００２２】
操作入力部１１３は、例えば静電容量式などのタッチパッドであり、指やタッチペンなどによる接触操作（以降、タッチという）を操作入力として検出するものである。例えば、表示部１１４にコマンド（機能）のメニュー等を表示し、ユーザーが所望のコマンドをタッチして選択することで、そのタッチ位置を検出し、そのタッチ位置に表示されているコマンドを受け付けるものである。また、表示部１１４に画像を表示させた状態で、タップ、フリック、ピンチアウト／ピンチインなどのタッチ及びタッチ動作を認識することもできる。操作入力部１１３にて受け付けたタッチあるいはタッチ動作はＣＰＵ１０２に入力され処理される。【００２３】
映像入力部１１６は、例えばカメラなどである。表示部１１４に表示される映像や、映像入力部１１６から入力された映像は、画像処理部１１５にて処理される。【００２４】
入出力Ｉ／Ｆ１１７は、例えばＵＳＢ（Universal Serial Bus）などであり、外部機器（図示せず）とデータの送受信を行うインターフェイスである。【００２５】
次に、本実施例における情報処理装置１００におけるピンチアウト／ピンチインの操作方法について説明する。【００２６】
最初に図２を用いて、ピンチアウト／ピンチイン操作の初期操作にあたるピンチマークの設定について説明する。なお、通常は従来の情報処理装置１００’と同様に２本の指によるピンチアウト／ピンチイン操作を受け付けるモードとなっており、本実施例の処理を行う際は、あらかじめコマンド操作等で、本実施例の処理モードに切り替えておく。【００２７】
図２（ａ）に示すように、タッチパネル１１８に画像を表示させた状態において、拡大／縮小表示を行いたい部分の近傍（点Ａ）をタップする。ここで、タップとは、タッチパネルの１点をたたくような操作をいい、タッチ開始位置とタッチ終了位置がほぼ同一の場合をいう。また、図２（ａ）に示したように、片手２００（ここでは右手）で情報処理装置１００を保持し、その手２００の指２０１（ここでは親指）にてタップするものとする。
操作入力部１１３は点Ａの座標を検出し、メモリ１０３に記憶し、点Ａの位置に元の画像に重ね合わせてマーク１６０を表示する（図２（ｂ））。以降の説明では、マーク１６０をピンチマークといい、点Ａをピンチ位置という。【００２８】
次に、図３を用いて、ピンチアウト／ピンチインの操作方法について説明する。
図３（ａ）に示すように、拡大／縮小したい部分の点Ａに対向する位置に指２０１をタッチする。なお、ここから情報処理装置１００を保持している指については、簡略化のため図示しないこととする。このタッチの開始位置を点Ｂとする。操作入力部１１３は、点Ｂの座標を検出し、メモリ１０３に記憶する。このとき、ピンチ位置（点Ａ）とタッチ開始位置（点Ｂ）の距離ＡＢと、表示画像上のピンチ位置（点Ａ）とタッチ開始位置（点Ｂ）の中点（点Ｘ）を算出しておく。【００２９】
次に、任意の方向に指２０１をスライドさせる。スライドの動作は、タッチした状態を維持したまま、タッチ位置を移動させることをいう。ここで、指２０１がタッチしている位置を点Ｃとし、操作入力部１１３は、点Ｃの座標を連続して検出し、メモリ１０３に記憶する。なお、図３（ａ）は、タッチ開始時の状態を示しいるため、タッチ開始位置（点Ｂ）とタッチ位置（点Ｃ）は同じ位置となる。【００３０】
図３（ｂ）は、ピンチ位置（点Ａ）から離れる方向に指２０１をスライドした場合を示している。これは、ピンチ位置（点Ａ）とタッチ位置（点Ｃ）の距離ＡＣを算出し、上記距離ＡＢと比較することで判別できる。すなわち、距離ＡＣ＞距離ＡＢであることから、ピンチ位置（点Ａ）より離れる方向にスライドしていると判別できる。【００３１】
図３（ｂ）に示すように、指２０１をピンチ位置（点Ａ）より離れる方向にスライドさせた場合は、表示画像上の中点（点Ｘ）がピンチ位置（点Ａ）とタッチ位置（点Ｃ）の略中心になるように表示画像をスクロールさせて、中点（点Ｘ）を中心にして拡大させるよう画像処理する。このとき、距離ＡＣと拡大率を連動させている。すなわち、指２０１がピンチ位置（点Ａ）から離れるほど拡大率が大きくなるようにしている。【００３２】
そして、図３（ｂ）の状態から図３（ｃ）の状態になるように、指２０１をピンチ位置（点Ａ）に近づく方向に戻すようにスライドさせると、図３（ｃ）の時の距離ＡＣは、図３（ｂ）のときの距離ＡＣよりも小さくなるため、図３（ｃ）に示すように、図３（ｂ）の時より拡大率は小さくなる。なお、図３（ｃ）の例では、距離ＡＣ＞距離ＡＢであるため、図３（ａ）の初期の画像と比べると、表示画像は拡大されている。【００３３】
さらに、指２０１をピンチ位置（点Ａ）に近づく方向にスライドさせ、図３（ｄ）に示すように、距離ＡＣ＜距離ＡＢとなった場合の表示画像は、図３（ａ）の初期の画像と比べると、縮小された画像となる。なお、距離ＡＣ＜距離ＡＢとなった場合においても、距離ＡＣと縮小率は連動させており、指２０１がピンチ位置（点Ａ）に近づくほど縮小率が大きくなるものとする。【００３４】
このように、指２０１の動きに合わせて表示画像の拡大率／縮小率が連続的に変化していくため、使用者は片手による操作で容易に表示画像を所望の大きさに設定することができる。【００３５】
ピンチアウト／ピンチインの処理を終了させる場合は、指２０１をタッチパネル１１８から離せばよい。例えば、図３（ｂ）の状態で指２０１をタッチパネル１１８から離すと、図３（ｅ）に示すように、表示画像はそのときの拡大率に設定され、ピンチマーク１６０は消去され本処理は終了する。また、例えば図３（ｄ）の状態で指２０１をタッチパネル１１８から離すと、図３（ｆ）に示すように、表示画像はそのときの縮小率に設定され、ピンチマーク１６０は消去され本処理は終了する。【００３６】
なお、上記説明においては、指２０１をタッチパネル１１８から離した時点で、ピンチマーク１６０を消去し、処理を終了させているが、これに限定されるものではない。例えば、指２０１をタッチパネル１１８から離しても、所定時間（例えば５秒など）はピンチマーク１６０を表示させた状態とし、再度指２０１をタッチ、スライドしてピンチアウト／ピンチイン操作を可能としてもよい。【００３７】
また、上記説明においては、ピンチ位置（点Ａ）から離れる方向へ指２０１をスライドさせてから、ピンチ位置（点Ａ）に近づく方向にスライドさせた例を説明したが、これに限定されるものではない。例えば、図３（ａ）の状態から、指２０１をピンチ位置（点Ａ）から近づく方向にスライドさせると、図３（ｄ）の状態となり、ここで指を離すと図３（ｆ）の状態となる。つまり、表示画像は、図３（ａ）の初期の画像と比べると、縮小された画像となる。また、指２０１を離さず、さらにピンチ位置（点Ａ）から離れる方向にスライドさせてもよい。指２０１が接触している間は、常時タッチ位置（点Ｃ）を検出して距離ＡＣを算出し、距離ＡＢと比較することで、拡大／縮小を判別し、距離ＡＣに応じて拡大率／縮小率を決定し、表示画像上の座標（点Ｘ）を中心に、その拡大率／縮小率で画像を表示するものとする。同時に、表示画像上の座標（点Ｘ）がピンチ位置（点Ａ）とタッチ位置（点Ｃ）の略中心になるように表示画像をスクロールさせるものとする。【００３８】
また、本実施例の処理は、例えば、地図や写真など、拡大／縮小表示が可能な表示画像の場合に機能するようにしてもよい。例えば、タッチパネル１１８にメニュー表示してコマンドを受け付ける際や、文字入力時など、拡大／縮小表示が不要な表示画像の場合は、本実施例の処理は行わず、通常のタップ処理（選択など）を行うようにする。拡大／縮小表示が可能な表示画像の場合は、拡大／縮小表示が可能であることを示すマークなどを表示させるようにしてもよい。【００３９】
更に、本実施例ではピンチ位置（点Ａ）とタッチ位置（点Ｃ）の中点Ｘを中心に拡大／縮小をする例を説明したが、ピンチ位置（点Ａ）を中心に拡大／縮小をしても良い。このときは、表示画像上の点Ａとピンチ位置（点Ａ）を一致させて拡大／縮小の表示を行う。【００４０】
次に、ピンチマーク１６０の消去方法について説明する。
図４は、ピンチマーク１６０の消去処理の説明図である。本処理は、誤ってタッチパネル１１８をタップして、ピンチマーク１６０を表示させてしまった場合などに用いる。図４（ａ）に示すように、ピンチマーク１６０をタップする。この場合、タッチ開始位置（点Ｂ）を検出し、ピンチ位置（点Ａ）との距離が所定値（例えば、１ｍｍ）以内の場合は、ピンチ位置（点Ａ）をタップしたと判断し、図４（ｂ）に示すように、表示画像は変化することなく、ピンチマーク１６０は消去するようにしている。なお、上記説明においては、ピンチマーク１６０をタップした場合に、ピンチマーク１６０を消去するようにしているが、ピンチマーク１６０が表示された状態で、所定時間（例えば５秒）内に、何も操作が行われなかった場合は、自動でピンチマーク１６０を消去してもよい。また、プッシュボタン、スライドボタンなど、機械的な操作ボタン（図示せず）を情報処理装置１００に設けて、その操作ボタンを操作した時に、ピンチマーク１６０を消去するようにしてもよい。【００４１】
次に、ピンチマーク１６０の位置の変更方法について説明する。
図５は、ピンチマーク１６０の位置の変更処理の説明図である。図５（ａ）に示すように、ピンチマーク１６０をタッチする。上記の消去処理の場合と同様に、タッチ開始位置（点Ｂ）を検出し、ピンチ位置（点Ａ）との距離が所定値以下の場合は、ピンチ位置（点Ａ）をタッチしたと判断する。この状態で、図５（ｂ）に示すように指２０１をスライドさせる。このときのタッチ位置（点Ｃ）を検出し、タッチ位置（点Ｃ）にピンチマーク１６０を移動させるようにしている。希望の場所まで指２０１をスライドさせ、指２０１をタッチパネル１１８から離すと、図５（ｃ）に示すように、指２０１を離したときの位置（点Ｃ）が新しいピンチ位置（点Ａ）となるようにしている。【００４２】
なお、上記説明では、指２０１のスライドにより、ピンチ位置（点Ａ）を移動させる例を説明したが、指２０１のスライドにより、ピンチ位置（点Ａ）の移動とともに表示画面をスクロールするようにしてもよい。【００４３】
以上のように、タッチパネル１１８をタップするだけで、容易にタップした位置にピンチマーク１６０を表示させることができる。また、ピンチマーク１６０が表示されている状態で、タッチパネル１１８をタッチしスライドさせると、その指の動きに連動して、ピンチアウト／ピンチイン操作を行うことが出来るため、片手が使えない状況においても、容易に表示画像の拡大／縮小操作を行うことができる。また、ピンチマーク１６０をタップするとピンチマーク１６０が消去し、また、ピンチマーク１６０をタッチしてスライドするとピンチマーク１６０の位置を変更できることから、ピンチマーク１６０の消去、位置変更も片手で容易に行うことができる。【００４４】
なお、上記説明においては、右手２００で情報処理装置１００を保持し、右手２００の親指２０１にて操作を行った例を説明したが、これに限定されるものではない。例えば左手２１０にて保持と操作を行ってもよいし、別の指（例えば人差し指など）で操作を行ってもよい。【００４５】
また、上記説明においては、通常は従来の装置のように２本の指でピンチアウト／ピンチインの操作を行うモードとしておいて、コマンド操作により、本実施例における１本の指でピンチアウト／ピンチインの操作を行うモードに切り替えられる例を説明しているが、これに限定されるものではない。例えば、通常は従来の装置のように２本の指のピンチアウト／ピンチインの操作を行うモードとしておいて、タッチパネル１１８に接触している時間が短いタップ操作の場合は、通常のタップ操作として受け付けて、接触している時間が例えば１秒以上などの長押し操作の場合は、本実施例の処理とし、長押し操作をした位置をピンチ位置としてもよい。つまり、従来のピンチアウト／ピンチイン操作と本実施例のピンチアウト／ピンチイン操作のモードを切り替える必要がなく、長押し操作が行われると本実施例の処理を行うようにすればよい。なお、長押し操作に限定されるものではなく、例えば所定時間（例えば１秒）内に２回タップ操作を行うダブルタップ操作にて、本実施例の処理を行うようにしてもよい。この場合は、１回目のタップ位置と２回目のタップ位置が所定距離（例えば１ｍｍ）以上離れた場合は、ピンチ位置設定としては受け付けないようにすればよい。【００４６】
また、上記実施例は、携帯型の情報処理装置を用いた場合について説明したが、これに限定されるものではなく、例えばタブレット、ノートパソコン、デスクトップパソコンなどに用いてもよい。【００４７】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、実施例の構成の一部について、他の構成の追加・削除・置換をすることが可能である。
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、フラッシュメモリなどのメモリ、または、メモリーカードなどのストレージに置くことができる。 
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４８】
１００  情報処理装置
１１３  操作入力部
１１４  表示部
１１８  タッチパネル
１６０  ピンチマーク
２０１  指
【図１】
2014112029.tif 000003
【図２】
2014112029.tif 000004
【図３】
2014112029.tif 000005
【図４】
2014112029.tif 000006
【図５】
2014112029.tif 000007
【図６】
2014112029.tif 000008
【手続補正書】
【提出日】平成27年11月10日(2015.11.10)
【手続補正１】
【補正対象書類名】特許請求の範囲
【補正対象項目名】全文
【補正方法】変更
【補正の内容】
【特許請求の範囲】
【請求項１】
情報処理装置であって、
画像を表示する表示部と、
ユーザ操作を入力する操作入力部と、
制御部と、備え、
前記制御部は、
前記操作入力部にユーザの指がタッチされたことを検出すると、検出した位置にマークを表示し、
前記マークが表示されている状態で、該マークの位置とは異なる位置にてユーザの指がタッチされたことを検出した場合に、
該タッチの位置が前記マークの位置より離れる方向に変化した場合は、前記表示部の表示画像を前記マークの位置を中心として拡大し、該タッチの位置が前記マークの位置に近づく方向に変化した場合は、前記表示部の表示画像を前記マークの位置を中心として縮小する制御を行う
ことを特徴とする情報処理装置。
【請求項２】
請求項１に記載の情報処理装置であって、
前記制御部は、
前記タッチの位置の変化量に応じて、前記表示部の表示画像の拡大率及び縮小率を変化させる制御を行う
こと特徴とする情報処理装置。
【請求項３】
請求項１または請求項２に記載の情報処理装置であって、
前記制御部は、
前記マークの位置またはその近傍をタッチされたことを検出すると、前記マークを消去する制御を行うことを特徴とする情報処理装置。
【請求項４】
請求項１乃至請求項３のいずれか一項に記載の情報処理装置であって、
前記制御部は、
前記マークの位置またはその近傍をタッチされたことを検出し、さらに該タッチの位置が変化したことを検出すると、前記マークを該タッチの位置の変化に合わせて移動させる制御を行うことを特徴とする情報処理装置。
【請求項５】
請求項４に記載の情報処理装置であって、
前記制御部は、
前記タッチの位置の変化に応じて、前記表示部の表示画像をスクロールする制御を行うことを特徴とする情報処理装置。
【請求項６】
請求項１乃至請求項５のいずれか一項に記載の情報処理装置であって、
前記マークを表示する際のタッチは、タップ操作であることを特徴とする情報処理装置。
【請求項７】
請求項１乃至請求項５のいずれか一項に記載の情報処理装置であって、
前記マークを表示する際のタッチは、略同一の位置を所定時間以上タッチする操作であることを特徴とする情報処理装置。
【請求項８】
請求項１乃至請求項５のいずれか一項に記載の情報処理装置であって、
前記マークを表示する際のタッチは、略同一の位置を所定時間以内に２回タッチする操作であることを特徴とする情報処理装置。
【請求項９】
情報処理装置における情報処理方法であって、
前記情報処理装置は、画像を表示する表示部と、ユーザ操作を入力する操作入力部と、を備え、
前記操作入力部にユーザの指がタッチされたことを検出すると、検出した位置にマークを表示するステップと、
前記マークが表示されている状態で、該マークの位置とは異なる位置にてユーザの指がタッチされたことを検出した場合に、
該タッチの位置が前記マークの位置より離れる方向に変化した場合は表示画像を前記マークの位置を中心として拡大し、該タッチの位置が前記マークの位置に近づく方向に変化した場合は表示画像を前記マークの位置を中心として縮小するステップと、を有する
ことを特徴とする情報処理方法。
【請求項１０】
情報処理装置に、
該情報処理装置の操作入力部にユーザの指がタッチされたことを検出すると、検出した位置にマークを表示するステップと、
前記マークが表示されている状態で、該マークの位置とは異なる位置にてユーザの指がタッチされたことを検出した場合に、
該タッチの位置が前記マークの位置より離れる方向に変化した場合は表示画像を前記マークの位置を中心として拡大し、該タッチの位置が前記マークの位置に近づく方向に変化した場合は表示画像を前記マークの位置を中心として縮小するステップと、
を実行させるためのプログラム。
【国際調査報告】
2014112029.tif 000009
2014112029.tif 000010